(57)【特許請求の範囲】
【請求項１】
車両に搭載された車載器と携帯情報端末とが通信可能に接続され、前記車両に搭乗する乗務員の出勤および退勤を管理する出退勤管理システムであって、
前記携帯情報端末は、
前記乗務員の出勤および退勤の指示を受け付ける出退勤受付手段と、
前記車両の点検を含む出庫前チェックを実施するチェック実施手段と、
前記出庫前チェックの実施後、出庫データを前記車載器に送信する第１の送信手段と、
前記車載器から入庫データを受信する第１の受信手段と、
前記出庫データおよび前記入庫データをもとに、労務状況を表示する表示手段と、
を備え、
前記車載器は、
前記携帯情報端末から前記出庫データを受信する第２の受信手段と、
入庫の指示を受け付ける入庫受付手段と、
前記入庫の指示が受け付けられた場合、前記携帯情報端末に前記入庫データを送信する第２の送信手段と、
を備えることを特徴とする出退勤管理システム。
【請求項２】
前記携帯情報端末は、前記車両を管理する情報管理装置と通信可能に接続され、
さらに、前記表示手段によって表示された労務状況を確認する確認手段と、
前記確認手段によって労務状況が確認された場合、前記入庫データを前記情報管理装置に送信する第３の送信手段と、を備え、
前記出庫前チェックの実施後、前記第１の送信手段は、前記出庫データを前記車載器および前記情報管理装置に送信することを特徴とする請求項１記載の出退勤管理システム。
【請求項３】
前記確認手段は、前記表示手段によって表示された前記労務状況および前記営業データを確認し、
前記確認手段によって前記労務状況および前記営業データが確認された場合、前記第３の送信手段は、前記入庫データおよび前記営業データを前記情報管理装置に送信することを特徴とする請求項２記載の出退勤管理システム。
【発明の詳細な説明】
【技術分野】
【０００１】
本発明は、車両に搭乗する乗務員の出勤および退勤を管理する出退勤管理システムに関する。
【背景技術】
【０００２】
近年、タクシー業界では、労務に関する管理が重要になってきており、労働基準法に基づいた管理が必要不可欠となっている。
【０００３】
現在、出退勤管理に関し、事務所側では、タイムカードを利用した手作業の管理が行われている。また、タクシーメータ側では、タクシーメータの管理機能を用いた出入庫の管理が行われている。
【０００４】
また、この種の先行技術として、勤務時間が許容勤務時間を超える場合、空車モードから実車モードへの切り替えを抑止するタクシーメータが知られている（特許文献１参照）。
【先行技術文献】
【特許文献】
【０００５】
【特許文献１】特開２００８−２９３１７５号公報
【発明の概要】
【発明が解決しようとする課題】
【０００６】
しかしながら、上記従来の出退勤管理システムでは、つぎのような問題があった。すなわち、タイムカードを利用した管理では、事務所側の紙を用いて、出勤、対面点呼、出庫前点検などを管理表に記入する作業が必要となる。このため、その集計に手間がかかったり、紙が無駄に使われていた。
【０００７】
また、タクシーメータの管理機能を用いた管理では、専用のメモリカードが必要であった。
【０００８】
本発明は、上述した事情に鑑みてなされたものであり、その目的は、車載器および携帯情報端末を用いて簡便に出退勤管理を行うことができる出退勤管理システムを提供することにある。
【課題を解決するための手段】
【０００９】
前述した目的を達成するために、本発明に係る出退勤管理システムは、下記（１）〜（３）を特徴としている。
（１）  車両に搭載された車載器と携帯情報端末とが通信可能に接続され、前記車両に搭乗する乗務員の出勤および退勤を管理する出退勤管理システムであって、
前記携帯情報端末は、
前記乗務員の出勤および退勤の指示を受け付ける出退勤受付手段と、
前記車両の点検を含む出庫前チェックを実施するチェック実施手段と、
前記出庫前チェックの実施後、出庫データを前記車載器に送信する第１の送信手段と、
前記車載器から入庫データを受信する第１の受信手段と、
前記出庫データおよび前記入庫データをもとに、労務状況を表示する表示手段と、
を備え、
前記車載器は、
前記携帯情報端末から前記出庫データを受信する第２の受信手段と、
入庫の指示を受け付ける入庫受付手段と、
前記入庫の指示が受け付けられた場合、前記携帯情報端末に前記入庫データを送信する第２の送信手段と、
を備えること。
（２）  上記（１）の構成の出退勤管理システムであって、
前記携帯情報端末は、前記車両を管理する情報管理装置と通信可能に接続され、
さらに、前記表示手段によって表示された労務状況を確認する確認手段と、
前記確認手段によって労務状況が確認された場合、前記入庫データを前記情報管理装置に送信する第３の送信手段と、を備え、
前記出庫前チェックの実施後、前記第１の送信手段は、前記出庫データを前記車載器および前記情報管理装置に送信すること。
（３）  上記（２）の構成の出退勤管理システムであって、
前記確認手段は、前記表示手段によって表示された前記労務状況および前記営業データを確認し、
前記確認手段によって前記労務状況および前記営業データが確認された場合、前記第３の送信手段は、前記入庫データおよび前記営業データを前記情報管理装置に送信すること。
【００１３】
上記（１）〜（３）の構成の出退勤管理システムによれば、携帯情報端末は、出勤および退勤の指示を受け付け、出庫前チェックを実施して出庫データを車載器に送信し、また、車載器から入庫データを受信し、出庫データおよび入庫データをもとに労務状況を表示する。これにより、車載器および携帯情報端末を用いて簡便に出退勤管理を行うことができる。従って、従来のように、タイムカードの利用や、紙に記入された作業の集計や、無駄な紙の使用を排除し、また、専用のメモリカードを必要とすることがなくなる。
【発明の効果】
【００１４】
本発明によれば、携帯情報端末は、出勤および退勤の指示を受け付け、出庫前チェックを実施して出庫データを車載器に送信し、また、車載器から入庫データを受信し、出庫データおよび入庫データをもとに労務状況を表示する。これにより、車載器および携帯情報端末を用いて簡便に出退勤管理を行うことができる。従って、従来のように、タイムカードの利用や、紙に記入された作業の集計や、無駄な紙の使用を排除し、また、専用のメモリカードを必要とすることがなくなる。
【図面の簡単な説明】
【００１５】
【図１】図１は、実施形態における出退勤管理システム１の構成を示すブロック図である。
【図２】図２は、タクシーメータ３およびスマートフォン５の外観を示す図である。
【図３】図３は、出退勤管理システムにおける労務管理の全体的な流れを示す図である。
【図４】図４は、スマートフォン５において出勤から出庫までに表示される画面の流れを示す図である。
【図５】図５は、スマートフォン５における動作手順を示すフローチャートである。
【図６】図６は、図５につづくスマートフォン５における動作手順を示すフローチャートである。
【図７】図７は、タクシーメータ３における動作手順を示すフローチャートである。
【図８】図８は、タクシーメータ３およびスマートフォン５における入庫の流れを示す図である。
【図９】図９は、入庫データを受信した際、スマートフォン５の表示部２２に表示される営業データおよび労務状況の一覧画面を示す図である。
【発明を実施するための形態】
【００１６】
本発明の実施形態における出退勤管理システム、出退勤管理方法、携帯情報端末及び車載器について図面を用いて説明する。本実施形態では、車載器としてタクシー車両に搭載されるタクシーメータが用いられ、携帯情報端末としてスマートフォンが用いられた場合を示す。スマートフォンは、事務所側に設置された配車システムである情報管理装置（図示せず）と連動しており、通話やメールなどの送受信が可能である。
【００１７】
図１は実施形態における出退勤管理システム１の構成を示すブロック図である。出退勤管理システム１は、走行距離に応じた課金を行うタクシーメータ３、および通信機能を有し、各種のアプリケーションを実行可能なスマートフォン５から構成される。
【００１８】
タクシーメータ３は、演算部１１、表示部１２、操作部１３、車両データ入力部１４、営業データ格納部（ＲＡＭ）１５、設定データ格納部（ＲＯＭ）１６、無線通信モジュール１７および外部インタフェース（Ｉ／Ｆ）１８を有する。
【００１９】
演算部１１は、ＣＰＵ、ＲＯＭ、ＲＡＭ、タイマなどを有し、ＣＰＵがＲＯＭに格納された制御プログラムを実行することで、タクシーメータ全体を制御する。表示部１２は、ＬＣＤからなり、走行距離、タクシ走行料金（運賃）、タリフ状態等を表示する。操作部１３は、各種のボタンを有し、これらのボタンの押下を受け付ける。
【００２０】
車両データ入力部１４は、車両に備わる各種センサから、走行距離、車両速度、エンジン回転数などの車両データを入力する。
【００２１】
営業データ格納部１５（ＲＡＭ）には、乗車時間や走行距離の他、迎車、割増、高速の有無などの営業データが記憶される。設定データ格納部１６（ＲＯＭ）には、乗務員の認証データ、車両番号、労務情報などの設定データが格納されている。
【００２２】
無線通信モジュール１７は、無線基地局を介してスマートフォン５と通信可能である。通信キャリアとしては、３Ｇ（第３世代携帯電話）、ＷＩＭＡＸ（Worldwide Interoperability for Microwave Access）などを用いることができる。外部Ｉ／Ｆ１８には、プリンタなどの外部デバイスが接続可能である。
【００２３】
一方、スマートフォン５は、制御部２１、表示部２２、カメラ部２３、音声処理部２４、無線通信モジュール２５、操作部２６、座標検出部２７および記憶部２８を有する。
【００２４】
制御部２１は、ＣＰＵ、ＲＯＭ、ＲＡＭなどを有し、ＣＰＵがＲＯＭに格納された制御プログラムを実行することで、スマートフォン全体を制御する。また、制御部２１は、記憶部２８に登録された各種のアプリケーションを実行可能である。
【００２５】
表示部２２は、ＬＣＤからなり、後述するように、労務情報、各種のチェック項目、各種データの一覧等を表示する。カメラ部２３は撮影機能を有する。音声処理部２４は、マイク２４ｂおよびスピーカ２４ａを有し、音声出力および通話処理を行う。
【００２６】
無線通信モジュール２５は、無線基地局を介してタクシーメータ３と通信可能である。操作部２６は、各種ボタンを有し、これらのボタンの押下を受け付ける。座標検出部２７は、表示部２２の画面に設けられたタッチパネルからなり、使用者の指などによるタッチ位置を座標として検出する。
【００２７】
記憶部２８には、後述する出退勤管理プログラムを含む、各種のアプリケーションが登録されている。
【００２８】
図２はタクシーメータ３およびスマートフォン５の外観を示す図である。タクシーメータ３の筐体前面には、走行料金（運賃）などが表示される表示部１２、「空車」、「実車」などの各種ボタンからなる操作部１３、および外部デバイスが接続可能なコネクタを有する外部Ｉ／Ｆ１８が設けられている。
【００２９】
一方、スマートフォン５の筐体前面には、登録された各種アプリケーションのアイコンが表示される表示部２２、各種ボタンからなる操作部２６、マイク２４ｂおよびスピーカ２４ａが設けられている。
【００３０】
上記構成を有する出退勤管理システムの動作を示す。図３は出退勤管理システムにおける労務管理の全体的な流れを示す図である。ここでは、タクシーメータ側の動作と、スマートフォン側の動作とに分けて説明する。
【００３１】
まず、スマートフォン５は、ログイン処理、始業点検などの出庫前チェックを実施した後、画面に表示された出庫ボタン２２ｅ（図４（Ｄ）参照）が押下されると、出庫処理を行い、出庫データをタクシーメータ３に送信する。出庫データには、出庫時刻の他、各種チェック項目のチェック結果などのデータが含まれる。
【００３２】
タクシーメータ３は、スマートフォン５から送信された出庫データを受信すると、出庫の状態に移行し、営業を開始する。乗客を乗せ、乗務員によって実車ボタンが押下されると、タクシーメータ３は、「空車」の状態から「実車」の状態となり、課金が行われる。目的地に到着し、乗務員によって支払ボタンが押下されると、走行料金（運賃）の支払いが行われる。このように、空車、実車、支払いといった営業が行われると、タクシーメータ３からスマートフォン５に営業データが送信される。
【００３３】
スマートフォン５は、営業データを受信すると、この営業データを時系列に記憶部２８に記録するとともに、決済処理を行う。また、営業中、スマートフォン５は、事務所側に設置された情報管理装置（配車システム）と連動し、メールの送受信を行ったり、外付け料金の外部入力化を行ったり、営業データの送受信を行う。
【００３４】
タクシーメータ３は、乗務員によって入庫ボタン１２ａ（図８（Ａ）参照）が押下されると、入庫の状態に移行し、スマートフォン５に入庫データを送信する。入庫データには、入庫時刻などのデータが含まれる。スマートフォン５は、タクシーメータ３から送信された入庫データを受信すると、入庫処理を行い、入庫後の処理として退勤処理を行う。
【００３５】
（出勤から出庫時の動作）
図４はスマートフォン５において出勤から出庫までに表示される画面の流れを示す図である。乗務員がスマートフォン５に登録されたアプリケーションの中から、出退勤管理アプリケーションを選択して実行させると、表示部２２には、待機画面が表示される（図４（Ａ）参照）。
【００３６】
出退勤管理アプリケーションが起動すると、表示部２２には、ＩＤおよびパスワードの入力欄２２ａおよびログインボタン２２ｂが表示され、ログイン待ちとなる（図４（Ｂ）参照）。このログインは、出勤を受け付ける出退勤受付手段に相当する。
【００３７】
ログインが行われ、乗務員の認証が確認されると、表示部２２には、横長の状態で労務情報が表示される（図４（Ｃ）参照）。この労務情報として、乗務員名、拘束時間、乗務距離および車両番号が表示されるとともに、「本日も安全運転を心掛けましょう」といったメッセージが表示される。
【００３８】
この後、表示部２２には、同様に横長の状態で、複数の出庫前チェック項目が表示される（図４（Ｄ）参照）。ここでは、「日常点検」、「車両点検」、「点呼」、「健康診断」、「労務情報」のチェック項目２２ｄが表示される。いずれかのチェック項目２２ｄのボタンが押下されると、対応するチェック用のアプリケーション３３が起動し、チェックが行われる。また、全てのチェック項目２２ｄのボタンが押下されてチェックが完了すると、「出庫」を表す出庫ボタン２２ｅがブランクの状態から選択可能な状態に変化する。
【００３９】
そして、出庫ボタン２２ｅが押下され、出庫のアプリケーション３３が起動すると、タクシーメータ３および事務所側の情報管理装置に出庫データが送信される。このとき、表示部２２の画面には、「出庫中」であることが表示される（図４（Ｅ）参照）。
【００４０】
図５および図６はスマートフォン５における動作手順を示すフローチャートである。この動作プログラムはスマートフォン５の制御部２１内のＲＯＭに格納されており、スマートフォン５を制御する制御部２１内のＣＰＵによって実行される。
【００４１】
まず、制御部２１は、アプリケーション起動中の待機画面（図４（Ａ）参照）を表示する（ステップＳ１）。アプリケーションが起動すると、制御部２１は、表示部２２の画面に、ＩＤおよびパスワードの入力欄２２ａおよびログインボタン２２ｂを表示し（図４（Ｂ）参照）、ログイン、つまり認証データの入力を待つ（ステップＳ２）。
【００４２】
入力された認証データを受け付けると、制御部２１は、入力された認証データが登録されているか否かを判別する（ステップＳ３）。登録されていない場合、制御部２１は、表示部２２にエラー表示を行い（ステップＳ４）、ステップＳ２の処理に戻る。一方、入力された認証データが登録されている場合、制御部２１は、登録されているＩＤの情報を取得し（ステップＳ５）、この取得した情報を表示部２２に表示する（ステップＳ６）。ここでは、図４（Ｃ）に示す労務情報が表示される。
【００４３】
制御部２１は、今回のログインが入庫後であるか否かを判別する（ステップＳ７）。入庫後でない場合、制御部２１は、出庫前であるか否かを判別する（ステップＳ８）。出庫前でない場合、制御部２１は、営業中であるか否かを判別する（ステップＳ９）。営業中でない場合、制御部２１はそのまま本動作を終了する。
【００４４】
一方、ステップＳ７で入庫後である場合、制御部２１は、始業ツールを起動する（ステップＳ１０）。このとき、表示部２２には、前述した各種のチェック項目が表示される（図４（Ｄ）参照）。そして、各種のチェックが実施される（チェック実施手段）。この後、制御部２１はステップＳ１３の処理に進む。
【００４５】
また、ステップＳ８で出庫前である場合、制御部２１は、同様に、始業ツールを起動する（ステップＳ１１）。表示部２２には各種のチェック項目が表示され（図４（Ｄ）参照）、各種のチェックが実施される。さらに、制御部２１は、出庫前であるとして、前回の入力データを表示部２２に表示する（ステップＳ１２）。
【００４６】
ステップＳ１０のチェック実施後、あるいはＳ１１でチェックを実施し、Ｓ１２の処理後、制御部２１は、出庫ボタン２２ｅが押下されるまで待つ（ステップＳ１３）。出庫ボタン２２ｅが押下されると、制御部２１は、表示部２２に出庫中の画面を表示し（図４（Ｅ）参照）、出庫データを、無線通信モジュール２５を通じて、タクシーメータ３および事務所側の情報管理装置に送信する（ステップＳ１４）。このステップＳ１４の処理は第１の送信手段に相当する。この後、制御部２１は、営業中の画面を表示し（ステップＳ１５）、営業中の動作に移行する。
【００４７】
制御部２１が営業中の画面表示を行っている間、空車、実車、支払いなどを含む営業データがタクシーメータ３から送信されると、スマートフォン５は、この営業データを受信し（第３の受信手段）、記録する。
【００４８】
図７はタクシーメータ３における動作手順を示すフローチャートである。この動作プログラムはタクシーメータ３の演算部１１内のＲＯＭに格納され、タクシーメータ３を制御する演算部１１内のＣＰＵによって実行される。
【００４９】
まず、演算部１１は、無線通信モジュール１７を通じて、出庫データを受信するまで待つ（ステップＳ３１）。このステップＳ３１の処理は第２の受信手段に相当する。
【００５０】
出庫データを受信すると、演算部１１は、この出庫データを営業データ格納部１５に格納し、営業中の画面を表示する（ステップＳ３２）。営業中、演算部１１は、空車、実車、支払いなどの処理が行われると、営業データを作成し、随時、スマートフォン５に送信する。
【００５１】
（入庫時の動作）
図８はタクシーメータ３およびスマートフォン５における入庫の流れを示す図である。タクシーメータ３において、操作部１３内のメニューボタンが押下されると、メニュー画面が表示部１２に表示される（図８（Ａ）参照）。さらに、乗務員によって入庫ボタン１２ａが押下されると、入庫処理中、表示部１２の画面には、労務情報が表示される（図８（Ｂ）参照）。ここでは、労務情報として、乗務員名、拘束時間、乗務距離の他、「お疲れ様でした。しばらくお待ちください」のメッセージ、および通信中を表す記号が表示される。
【００５２】
そして、入庫処理が完了し、入庫ＯＫになると（図８（Ｃ）参照）、タクシーメータ３からスマートフォン５に入庫データが送信される。この後、タクシーメータ３の表示部１２は出庫画面に切り替わる（図８（Ｄ）参照）。
【００５３】
一方、スマートフォン５は、タクシーメータ３から入庫データを受信すると、表示部２２に、営業データの一覧画面および労務状況の一覧画面を表示し、さらに、確認ボタン４５を表示する（図８（Ｅ）参照）。図９は入庫データを受信した際、スマートフォン５の表示部２２に表示される営業データおよび労務状況の一覧画面を示す図である。表示部２２の画面には、営業データとして、空車、実車、支払料金などのデータが表示され、また、労務状況として、出勤時刻、出庫時刻、入庫時刻、退勤時刻、拘束時間、乗務距離などのデータが表示がされる。なお、この段階では、退勤前であるので、退勤時刻は空白のままである。
【００５４】
使用者によって確認ボタン４５が押下されると、スマートフォン５は、入庫データを事務所側の情報管理装置に送信する。
【００５５】
前述したように、制御部２１は、ステップＳ１５で営業中の画面を表示部２２に表示中、タクシーメータ３で入庫ボタン１２ａが押下され、入庫データの送信が開始されたか否かを判別する（ステップＳ１６）。入庫データが送信が開始されていない場合、制御部２１はステップＳ１５に戻り、営業中の画面の表示を継続する。この間、営業データが送信されると、営業データの記録が行われる。
【００５６】
一方、ステップＳ１６で入庫データの送信が開始されると、制御部２１は、タクシーメータ３から送信された入庫データを受信する（ステップＳ１７）。このステップＳ１７の処理は第１の受信手段に相当する。
【００５７】
制御部２１は、受信した入庫データおよび営業データをもとに、入庫後の画面を表示部２２に表示する（ステップＳ１８）。この入庫後の画面表示では、前述した営業データの一覧画面および労務状況の一覧画面が表示される（図８（Ｅ）参照）。
【００５８】
この後、制御部２１は、確認ボタン４５が押下されるまで待つ（ステップＳ１９）。確認ボタン４５が押下されると、制御部２１は、入庫データを、事務所側の情報管理装置に送信する（ステップＳ２０）。このステップＳ２０の処理は第３の送信手段に相当する。
【００５９】
そして、制御部２１は、乗務員によって退勤ボタン（図示せず）が押下されるまで待つ（ステップＳ２１）。退勤ボタンが押下されると、制御部２１は出退勤管理アプリケーションの動作を終了する。このとき、退勤時刻はスマートフォン内の記憶部２８に記録され、営業データおよび労務状況の一覧画面で表示可能となる。なお、退勤ボタンは、表示部２２の画面上にボタンとして表示されてもよいし、出退勤アプリケーションの終了ボタンで代用されてもよい。また、退勤ボタンの押下は、退勤を受け付ける出退勤受付手段に相当する。
【００６０】
一方、タクシーメータ３において、演算部１１は、ステップＳ３２で営業中の画面を表示している間、乗務員によってメニュー画面（図８（Ａ）参照）で入庫ボタン１２ａが押下されたか否かを判別する（ステップＳ３３）。この入庫ボタン１２ａの押下は入庫受付手段に相当する。入庫ボタン１２ａが押下されていない場合、演算部１１はステップＳ３２の処理に戻る。一方、入庫ボタン１２ａが押下された場合、演算部１１は、入庫処理を行う（ステップＳ３４）。入庫処理中、図８（Ｂ）に示す画面が表示部２２に表示される。
【００６１】
演算部１１は、入庫処理がＯＫになると（図８（Ｃ）参照）、入庫データをスマートフォン５に送信する（ステップＳ３５）。このステップＳ３５の処理は第２の送信手段に相当する。そして、演算部１１は、出庫画面（図８（Ｄ）参照）を表示し（ステップＳ３６）、本動作を終了する。
【００６２】
このように、出退勤管理システムでは、スマートフォン５は、出勤および退勤の指示を受け付け、出庫前チェックを実施して出庫データをタクシーメータ３に送信し、また、タクシーメータから入庫データを受信する。さらに、スマートフォン５は、出庫データおよび入庫データをもとに労務状況を表示する。これにより、タクシーメータおよびスマートフォンを用いて簡便に出退勤管理を行うことができる。従って、従来のように、タイムカードの利用や、紙に記入された作業の集計や、無駄な紙の使用を排除し、また、専用のメモリカードを必要とすることがなくなる。
【００６３】
また、乗務員が労務状況を確認してから、スマートフォンは入庫データを事務所側の情報管理装置に送信するので、入庫データの正確性が担保される。また、営業データも労務状況とともに表示されるので、スマートフォンで営業データも確認することができる。さらに、乗務員が営業データを確認してから、スマートフォンは入庫データとともに営業データを事務所側の情報管理装置に送信するので、営業データの正確性も担保される。
【００６４】
また、出庫前チェックでは、日常点検、車両点検、点呼、健康診断および労務情報が確認されるので、多くの紙に記入する作業を省くことができる。
【００６５】
なお、本発明は、上記実施形態の構成に限られるものではなく、本実施形態の構成が持つ機能が達成できる構成であればどのようなものであっても適用可能である。
【００６６】
例えば、車載器として、タクシーメータに限らず、バス、電車等に搭載され、運行を管理する運行記録装置などに適用されてもよい。また、携帯情報端末としては、スマートフォンに限らず、タブレット端末、モバイルＰＣ等であってもよい。
【００６７】
本発明は、車両に搭乗する乗務員の出勤および退勤を管理する際、車載器および携帯情報端末を用いて簡便に出退勤管理を行うことができ、有用である。
【符号の説明】
【００６８】
１  出退勤管理システム
３  タクシーメータ
５  スマートフォン
１１  演算部
１２、２２  表示部
１２ａ  入庫ボタン
１３、２６  操作部
１４  車両データ入力部
１５  営業データ格納部
１６  設定データ格納部
１７、２５  無線通信モジュール
１８  外部インタフェース（Ｉ／Ｆ）
２１  制御部
２２ａ  入力欄
２２ｂ  ログインボタン
２２ｄ  チェック項目
２２ｅ  出庫ボタン
２３  カメラ部
２４  音声処理部
２４ａ  スピーカ
２４ｂ  マイク
２７  座標検出部（タッチパネル）
３３  アプリケーション
４５  確認ボタン
【図１】
0005848940.tif 000002
【図２】
0005848940.tif 000003
【図３】
0005848940.tif 000004
【図４】
0005848940.tif 000005
【図５】
0005848940.tif 000006
【図６】
0005848940.tif 000007
【図７】
0005848940.tif 000008
【図８】
0005848940.tif 000009
【図９】
0005848940.tif 000010